(57)【特許請求の範囲】
【請求項１】
複数の蓄電素子が配列された蓄電素子群と、
前記蓄電素子群の上部に配置され、前記各蓄電素子を監視する回路を有する回路基板と、
開口部を有するケース本体および前記開口部を塞いで前記ケース本体に取付けられるカバーを有し、前記蓄電素子群および前記回路基板を収容する筐体と、
前記回路基板に接続され、外部と信号の入出力を行うためのコネクタとを備え、
前記カバーは、前記カバーの上面と平行な底部を有する窪み部と、前記窪み部の前記底部に隣接して設けられた開口部とを有し、
前記コネクタは、前記コネクタへの挿抜方向が前記窪み部の前記底部と平行方向になるように前記カバーの上面の内側に配置されており、
前記コネクタは、前記窪み部の前記底部と平行方向に延在される接続部を有する接続端子を有し、
前記コネクタは、前記接続端子の先端が前記コネクタの挿抜用端面より内側に位置する雌型コネクタである、蓄電装置。
【請求項２】
請求項１に記載の蓄電装置において、
前記カバーは、前記開口部の前記窪み部と反対側に配置され周囲から隆起したコネクタ覆い部を有し、前記コネクタの前記挿抜用端面は、前記コネクタ覆い部の内側における前記開口部よりも内方に配置されている、蓄電装置。
【請求項３】
複数の蓄電素子が配列された蓄電素子群と、
前記蓄電素子群の上部に配置され、前記各蓄電素子を監視する回路を有する回路基板と、
開口部を有するケース本体および前記開口部を塞いで前記ケース本体に取付けられるカバーを有し、前記蓄電素子群および前記回路基板を収容する筐体と、
前記回路基板に接続され、外部と信号の入出力を行うためのコネクタとを備え、
前記カバーは、前記カバーの上面と平行な底部を有する窪み部と、前記窪み部の前記底部に隣接して設けられた開口部とを有し、
前記コネクタは、前記コネクタへの挿抜方向が前記窪み部の前記底部と平行方向になるように前記カバーの上面の内側に配置されており、
前記カバーと前記コネクタとの少なくとも相対向する一側部間に封止部材が介装されている、蓄電装置。
【請求項４】
請求項１から請求項３までのいずれか一項に記載の蓄電装置において、
さらに、前記筐体内に収容された電装品を備え、
前記コネクタは、前記回路基板に設けられ、
前記回路基板と前記電装品とは、平面視で重ならない位置に配置されている、蓄電装置。
【請求項５】
請求項１から請求項３までのいずれか一項に記載の蓄電装置において、
さらに、前記蓄電素子群の正極電極に接続される正極側端子と、前記蓄電素子群の負極電極に接続される負極側端子とを備え、
前記正極側端子と前記負極側端子とは、前記蓄電素子群の前記蓄電素子の配列方向における相対向する端部に配置されている、蓄電装置。
【請求項６】
請求項１から請求項３までのいずれか一項に記載の蓄電装置において、
さらに、前記蓄電素子群の正極電極に接続される正極側端子と、前記蓄電素子群の負極電極に接続される負極側端子とを備え、
前記正極側端子と前記負極側端子とは、前記蓄電素子群の前記蓄電素子の配列方向に直交する方向において相対向する端部に配置されている、蓄電装置。
【発明の詳細な説明】
【技術分野】
【０００１】
本発明は、蓄電装置に関する。
【背景技術】
【０００２】
近年、リチウムイオン二次電池などの蓄電装置は、電気自動車、ハイブリッド電気自動車、あるいは電気機器の電源として利用されている。
電池モジュールは、複数の二次電池セルをケース内に配列し、各二次電池セルの正・負極電極をバスバ等により相互に電気的に接続された組電池を備えている。二次電池装置は、このような電池モジュールを１個あるいは複数個備え、電源用端子および信号用コネクタを介して車両側のコントローラと接続されている。
【０００３】
二次電池装置には、組電池を構成する各二次電池セルを監視し制御する回路基板をケース内に収容するものがある。このような二次電池装置では、回路基板を組電池と平面視で重ならない位置に配置すると、二次電池装置の面積が大きくなり、車両等に搭載する際、設置する収容部の面積が大きくなる。このため、回路基板を組電池上に重ねて配置する構造とすることが知られている。
このような構造の一例として、セル監視モジュールに入力コネクタ部を設け、該入力コネクタ部を、その端面が筐体本体の周側部を形成する一側面とほぼ同一面となるように外部に向けて取り付けた構造としたものがある（例えば、特許文献１参照）。
【先行技術文献】
【特許文献】
【０００４】
【特許文献１】米国特許公開２０１３−１７５４４２号公報
【発明の概要】
【発明が解決しようとする課題】
【０００５】
特許文献１に記載された二次電池装置では、入力コネクタ部の端面が筐体本体の端部の一側面に配置されている。入力コネクタ部には、ケーブルや外部機器に接続された外部コネクタが挿抜される。入力コネクタが筐体本体の端部の一側面に位置している構造では、二次電池装置を設置する収容部は、入力コネクタに挿抜される外部コネクタを移動するためのスペースが必要となる。つまり、従来では、二次電池装置を設置する収容部には、外部コネクタを挿抜するためのスペースが必要とされ、二次電池装置の収容部は、この分、二次電池装置の面積より大きい面積とされていた。
【課題を解決するための手段】
【０００６】
本発明の一態様によると、蓄電装置は、複数の蓄電素子が配列された蓄電素子群と、前記蓄電素子群の上部に配置され、前記各蓄電素子を監視する回路を有する回路基板と、開口部を有するケース本体および前記開口部を塞いで前記ケース本体に取付けられるカバーを有し、前記蓄電素子群および前記回路基板を収容する筐体と、前記回路基板に接続され、外部と信号の入出力を行うためのコネクタとを備え、前記カバーは、前記カバーの上面と平行な底部を有する窪み部と、前記窪み部の前記底部に隣接して設けられた開口部とを有し、前記コネクタは、前記コネクタへの挿抜方向が前記窪み部の前記底部と平行方向になるように前記カバーの上面の内側に配置されており、前記コネクタは、前記窪み部の前記底部と平行方向に延在される接続部を有する接続端子を有し、前記コネクタは、前記接続端子の先端が前記コネクタの挿抜用端面より内側に位置する雌型コネクタである。
【発明の効果】
【０００７】
本発明によれば、蓄電装置を設置する収容部の容積の縮減を図ることが可能となる。
【図面の簡単な説明】
【０００８】
【図１】本発明の蓄電装置の第１の実施形態としての二次電池装置の外観斜視図。
【図２】図１に示す二次電池装置の分解斜視図。
【図３】図２の反対方向から見た二次電池装置の分解斜視図。
【図４】図２に図示されたケース本体の斜視図。
【図５】図２に図示されたケース本体に二次電池セルと仕切り部材とを収納した状態の斜視図。
【図６】図２に図示された二次電池装置において、上カバーを外した組付け状態を示す上面斜視図。
【図７】図１に図示されたコネクタ配置部近傍の拡大図。
【図８】図７のＶＩＩＩ―ＶＩＩＩ線断面図であり、（Ａ）は、外部コネクタが内部コネクタに挿入された状態を示し、（Ｂ）は、外部コネクタを内部コネクタに挿抜する状態を示す。
【図９】図６に図示された二次電池装置１を上方から見た平面図。
【図１０】本発明の第２の実施形態を示す、図９に対応する図。
【発明を実施するための形態】
【０００９】
−第１の実施形態−
以下、本発明の蓄電装置の第１の実施形態を、図面を参照して説明する。なお、以下では、蓄電装置として二次電池装置を例示して説明する。
図１は、本実施例を示す二次電池装置１の外観を示す上面斜視図である。二次電池装置１は、ケース本体２と上カバー３で構成されるケース（筐体）を備えている。二次電池装置１の上面の長手方向両端には、外部端子であるＨＶ端子８１およびＨＶ端子２１が設けられている。ＨＶ端子８１およびＨＶ端子２１は、それぞれ、平面視で、ほぼＵ字形状を有し、ほぼ中央部に形成された貫通孔１８を有している。二次電池装置１は、ＨＶ端子８１およびＨＶ端子２１にＨＶケーブルを接続することにより、電気自動車やハイブリッド電気自動車、あるいは電気機器に、電力が供給される。本一実施の形態では、ＨＶ端子８１が（＋）側、ＨＶ端子２１が（−）側である。
二次電池装置１の上面には信号用コネクタ７１が配置されている。信号用コネクタ７１は二次電池装置１のコントローラの信号用コネクタであり、車両側のコントローラと接続されて、情報のやり取りや電源（例えば、１２Ｖ）の供給を受ける。
なお、以下の説明において、左右方向、前後方向、上下方向を、それぞれ、図示の方向とする。
【００１０】
（二次電池装置の全体構造）
図２は、1に示す二次電池装置の分解斜視図であり、図３は図２の反対方向から見た二次電池装置の分解斜視図であり、図４は図２に図示されたケース本体の斜視図である。
ケース本体２は、底部２ａを有し、上方が開口された直方体形状のボックス状の部材である。ケース本体２には、長手方向（左右方向）の中間部に前後方向に延在する仕切り壁３０が設けられている。ケース本体２は、例えば、ＰＢＴ等の樹脂により形成されている。仕切り壁３０は、モールド成型によりケース本体２と一体に成型されている。
ケース本体２内には、複数の二次電池セル４、および隣接する二次電池セル４間に介装された仕切り部材５が長手方向（左右方向）に配列されている。また、ケース本体２内には、二次電池セル４と仕切り部材５とが配列された領域の上方に押圧用カバー６、一対のバンドプレート１０、コントロール基板７が収容されている。さらに、ケース本体２には、二次電池セル４と仕切り部材５とが収容された領域の左方側にジャンクションボックス８およびリレー８２（図３参照）が収容されている。なお、図３には、リレー８２は１つのみが図示されているが、ジャンクションボックス８には、正負極のメインリレーおよび負極プリチャージリレー等、複数のリレーを備えているものもある。ケース本体２には、長手方向（左右方向）の右側部に、空気などの冷却媒体をケース内に取り入れる流入口２２および冷却媒体をケースから排出する排出口２３が形成されている。
【００１１】
上カバー３は、上面３ａが平坦で、平面視で、一対の長辺と一対の短辺とを有する矩形形状を有する。上カバー３の後方側の２つのコーナー部には、上面３ａから陥没した凹部１１L、１１Rが形成されている。凹部１１L、１１Rのそれぞれの底部１２には、ＨＶ端子８１およびＨＶ端子２１の外周に沿って、Ｕ字形状に形成された開口１２ａ（図２参照）が設けられている。ＨＶ端子８１、２１は、それぞれ、凹部１１L、１１Rの底部１２の開口１２ａから露出している。
【００１２】
ケース本体２の一対の側部２ｂのそれぞれの上端側には、複数の係合片２ｃが設けられている。係合片２ｃは、モールド成型によりケース本体２に一体に形成されている。上カバー３の一対の長辺のそれぞれには、ケース本体２の各係合片２ｃに係止される複数の係止片３ｂが設けられている。係止片３ｂは、モールド成型により上カバー３に一体に形成されている。
【００１３】
二次電池セル４は、例えば、リチウムイオン二次電池である。
二次電池セル４は、電池缶４２と電池蓋４１とを接合して構成された電池容器内に不図示の発電要素が収容され、非水電解液が注入された角形の二次電池セルである。電池缶４２および電池蓋４１は、例えば、アルミニウム等の金属により形成されている。
電池蓋４１の幅方向（前後方向）の一端側付近には正極電極４３が、他端側付近には負極電極４４が設けられている。正・負極電極４３、４４は、それぞれ、発電要素の正・負極の電極に接続されている。正・負極電極４３、４４は、電池蓋４１の平坦な上面から上方に突出している。
【００１４】
二次電池セル４は、電池蓋４１と反対側の底面、左右方向に対向する大面積の表裏面および前後方向に対向する小面積の一対の側面を有する。二次電池セル４は、大面積の表裏面を対向して、正極電極４３、負極電極４４が交互に反対側に配置されるように直線状に配列されている。
【００１５】
二次電池セル４の間には仕切り部材５が配設されている。この仕切り部材５は、左端側の二次電池セル４の左側および右端側の二次電池セル４の右側（配列方向の前後端）にも配設されている。仕切り部材５は、例えば、ＰＢＴ（ポリブチレンテレフタレート）等の樹脂により形成される。
【００１６】
図４に図示されるように、ケース本体２の底部２ａには、前後方向に延在された複数の横リブ２４と、横リブ２４間に配置された縦リブ２５が形成されている。一対の横リブ２４と一対の縦リブ２５で囲まれた矩形の領域は、１個の二次電池セル４の収納領域Ｆｃとされ、この収納領域Ｆｃ内に二次電池セル４の底部側が収納される。
また、ケース本体２の左右方向に延在する一対の側部２ｂの内側には、縦リブ２５に対向する領域に隆起部２７が形成されている。隆起部２７間には、横リブ２４の厚さ（左右方向の長さ）に等しい幅の摺動用溝２６が形成されている。仕切り部材５は、摺動用溝２６内に挿通され、隆起部２７に案内されて、摺動用溝２６内で上下方向に摺動可能に取付けられる。
横リブ２４、縦リブ２５、隆起部２７は、モールド成型によりケース本体２に一体に形成される。
【００１７】
図５は、図２に図示されたケース本体に二次電池セルと仕切り部材とを収納した状態の斜視図であり、図６は、図２に図示された二次電池装置において、上カバーを外した組付け状態を示す上面斜視図である。
上述した通り、ケース本体２の底部２ａに形成された横リブ２４と縦リブ２５で形成される収納領域Ｆｃ内に各二次電池セル４の底部側が収納される。各二次電池セル４の間には、横リブ２４の厚さ（左右方向の長さ）とほぼ等しい幅の摺動用溝２６が介在され、この摺動用溝２６内に仕切り部材５が挿通される。仕切り部材５は摺動用溝２６を下方向に摺動され、下端がケース本体２の底部２ａに形成された横リブ２４の上面に当接した位置で停止する。仕切り部材５の高さ（上下方向の長さ）は、二次電池セル４の表裏面の高さ（上下方向の長さ）より小さく、仕切り部材５が底部２ａの内面に当接した状態では、仕切り部材５の上端は、二次電池セル４の電池蓋４１より下方に位置する。この状態が図５に図示されている。
【００１８】
仕切り部材５は、絶縁性樹脂により形成されており、充電時等において二次電池セル４が膨張し、その表裏面が張り出すことにより隣接する二次電池セル４が接触して短絡するのを防止する。また、仕切り部材５は、枠状に形成され、隣接する二次電池セル４間に空気等の冷却媒体が流動する冷却通路となる空隙Ｓ（図２、図３参照）を備えている。図２、図３に図示されるように、仕切り部材５は、前後方向の長さが二次電池セル４の前後方向の長さよりも大きく形成されている。仕切り部材５における二次電池セル４の前方側面から突出する部分は、冷却媒体の流入口２２に連通している。仕切り部材５における、二次電池セル４の後方側面から突出する部分は、冷却媒体の排出口２３に連通している。流入口２２から流入した空気等の冷却媒体は、各仕切り部材５の空隙Ｓ内を流動し、排出口２３から排出される。
【００１９】
複数の二次電池セル４と、二次電池セル４間および二次電池セル４の配列方向の両端に配置された仕切り部材５とは、直線状に配列された組電池１Ｒ（図５参照）、すなわち蓄電素子群を構成する。
図２、３に示すように、組電池１Ｒの上部に押圧用カバー６が配置される。押圧用カバー６上には、前部側部および後部側部に沿って左右方向に延在する一対のバンドプレート１０が配置される。バンドプレート１０は、ねじ等の締結部材９１（図６参照）によりケース本体２に固定される。押圧用カバー６は、バンドプレート１０とケース本体２に挟圧されて組電池１Ｒ上に固定される。押圧用カバー６の上面の前後方向におけるほぼ中央には、コントロール基板７が配置される。コントロール基板７は、ねじ等の締結部材９２（図６参照）により、ケース本体２の仕切り壁３０に固定される。
押圧用カバー６は、例えば、ＰＰまたはＰＰＥ（変性ポリフェニレンエーテル）等の樹脂により形成される。
【００２０】
コントロール基板７は、二次電池セル４を接続するセル間バスバ９（図６参照）に電気的に接続され、各二次電池セル４の電圧を測定、監視している。セル間バスバ９は、配列方向（左右方向）に隣接する一方の二次電池セル４の正極電極４３と、他方の二次電池セル４の負極電極４４とに溶接等により接合され、組電池１Ｒを構成する二次電池セル４のすべてを直列に接続する。コントロール基板７には二次電池装置１全体の監視や制御を行うための回路が実装されている他、信号用コネクタ７１、７２、７３（図６参照）が実装されている。信号用コネクタ７１は、車両側のコントローラと接続して、情報のやり取りや電源（例えば、１２Ｖ）の供給を受けている。信号用コネクタ７２はサーミスタ用コネクタで一部の二次電池セル４の表面の温度や冷却風の温度の測定値を取り込む。信号用コネクタ７３は、組電池１Ｒの左端側に隣接して配置されたジャンクションボックス８に設けられたリレー８２（図３参照）を動作させる電源（例えば、１２Ｖ）を供給している。
【００２１】
図６に図示された状態において、ケース本体２に上カバー３が取付けられて図１に図示される二次電池装置１が構成される。上カバー３は、例えば、ＰＰ（ポリプロピレン）等の樹脂により形成されている。
【００２２】
上述したように、上カバー３には、上面３ａから陥没する２つの凹部１１L、１１Rが設けられており、ＨＶ端子８１、２１は、それぞれ、上カバー３の凹部１１L、１１Rの底部１２において底部１２に設けられた開口１２ａ内に配置され、上カバー３から露出されている。ＨＶ端子８１、２１には、それぞれ、貫通孔１８（図１参照）が設けられている。図示はしないが、ＨＶ端子８１、２１は、それぞれ、ケース本体２内部に設けられた端子取付部材上に載置され、貫通孔１８に対応する位置に設けられた端子取付部材のねじ孔にボルト等の締結部材を用いて締結され、該端子取付部材に固定される。
【００２３】
図６に図示されるように、信号用コネクタ７１は、コントロール基板７に取付けられた内部コネクタである。信号用コネクタ７１は、コントロール基板７の左方側の端部で、かつ、コントロール基板７の前後方向のほぼ中央部に配置されている。
【００２４】
図７は、図１に図示されたコネクタ配置部近傍の拡大図である。図８は、図７のＶＩＩＩ―ＶＩＩＩ線断面図であり、図８（Ａ）は、外部コネクタが内部コネクタに挿入された状態を示し、図８（Ｂ）は、外部コネクタを内部コネクタに挿抜する状態を示す。
上述したように、コントロール基板７は、仕切り壁３０の上面に固定される。コントロール基板７は、上カバー３の上面３ａと、ほぼ平行に配置される。
上カバー３の上面３ａには、周囲より陥没した窪み部３１が設けられている。窪み部３１の底部３２は、上カバー３の上面３ａとほぼ平行に設けられている。底部３２には開口部３３が設けられている。開口部３３は、底部３２に対しほぼ直交して設けられている。なお、開口部３３は、上方または下方に向けて傾斜して形成されていてもよく、要は、底部３２に対し交差する方向に形成されていればよい。
【００２５】
上カバー３の上面３ａには、窪み部３１の右端側において隆起したコネクタ覆い部３４が設けられている。コネクタ覆い部３４の下方には、空間部Ｇ（図８（Ａ）、（Ｂ）参照）が形成されている。信号用コネクタ７１は、コネクタ覆い部３４の下方に設けられた空間部Ｇ内に配置されている。図８（Ｂ）に示されるように、信号用コネクタ７１における開口部３３側の挿抜用端面７５は、コネクタ覆い部３４の端面３４ａの内側に配置されている。
【００２６】
信号用コネクタ７１とコネクタ覆い部３４との間には、封止部材３７が介装されている。封止部材３７により信号用コネクタ７１とコネクタ覆い部３４との間の空隙が外部から密封され、水等の浸入を防止することができる。なお、図８（Ａ）、（Ｂ）では、封止部材３７を、信号用コネクタ７１の上面とコネクタ覆い部３４の下面との間の一側部に設けた構造として図示されているが、封止部材３７を、信号用コネクタ７１とコネクタ覆い部３４との全周囲に介装するようにしてもよい。
【００２７】
信号用コネクタ７１は、二次電池装置１のコントロール基板７に取付けられたレセプタクル、すなわち入力コネクタである。信号用コネクタ７１は、複数の接続端子７６（図８（Ａ）、（Ｂ）では、１つのみ図示されている）を有する。各接続端子７６は、ほぼＬ字形状に形成されている。接続端子７６は、一端側でコントロール基板７のスルーホールに挿通され、コントロール基板７に設けられた回路の接続パッド（図示せず）にはんだ付けされている。接続端子７６の先端側には、窪み部３１の底部３２とほぼ平行に延在された接続部７６ａ（図８（Ｂ）参照）が形成されている。接続部７６ａの先端は、コネクタ覆い部３４の端面３４ａより内側に配置されている。
【００２８】
信号用コネクタ７１には、ケーブル（図示せず）に接続されたプラグである外部コネクタ５１が挿抜される。外部コネクタ５１は、図８（Ｂ）に図示される信号用コネクタ７１から引き抜かれた位置と、図８（Ａ）に図示される信号用コネクタ７１に挿入された位置との間を、窪み部３１の底部３２と平行に移動される。図８（Ｂ）に図示されるように、外部コネクタ５１の左右方向の長さは、窪み部３１の底部３２の左右方向の長さよりも短い。このため、外部コネクタ５１は、窪み部３１の底部３２の領域内において、信号用コネクタ７１から挿抜することができる。これにより、二次電池装置１を設置する収容部の面積を縮減することができる。
【００２９】
なお、窪み部３１の底部３２を、上カバー３の左側の側面に連通するように形成してもよい。また、その場合に、外部コネクタ５１の左右方向の長さを、窪み部３１の底部３２の左右方向の長さより短くしてもよい。このような構造では、外部コネクタ５１の左端が窪み部３１の底部３２の左端の外方に配置された状態で信号用コネクタ７１に挿抜される。しかし、外部コネクタ５１の左右方向の全長がケース本体２の左方の側面の外側に配置された状態で信号用コネクタ７１に挿抜される従来の構造よりも、二次電池装置１を設置する収容部の面積を縮減することができる。
【００３０】
外部コネクタ５１は、弾性変形が可能な係合片５２と、導電性部材により形成された接続片５３とを有している。図８（Ａ）に示された外部コネクタ５１が信号号用コネクタ７１に挿入された状態では、外部コネクタ５１の接続片５３が信号用コネクタ７１の接続端子７６の接続部７６ａと接触している。外部コネクタ５１の係合片５２は、信号用コネクタ７１に挿入時、弾性により下方に撓む。また、外部コネクタ５１の係合片５２は、接続片５３が信号用コネクタ７１の接続端子７６の接続部７６ａと接触する挿入状態では、復元力により信号用コネクタ７１に係合する。
【００３１】
図９は、図６に図示された二次電池装置１を上方から見た平面図である。
組電池１Ｒにおける隣接する二次電池セル４同士は、一方の正極電極４３と他方の負極電極４４とがセル間バスバ９により接続されている。
【００３２】
ＨＶ端子８１は、組電池１Ｒの左端(図示右端)の二次電池セル４の正極電極４３に正極側バスバ（図示せず）により接続されている。ＨＶ端子２１は、組電池１Ｒの右端(図示左端)の二次電池セル４の負極電極４４に接続されている。つまり、正極側通電端子であるＨＶ端子８１と、負極側通電端子であるＨＶ端子２１とは、ケース本体２の長手方向（左右方向）の一方の側部２ｂの両端に相対向して配置されている。そして、信号用コネクタ７１は、ケース本体２の短手方向（前後方向）における組電池１Ｒの中央部に配置されている。信号用コネクタ７１は、コントロール基板７の長手方向の左端側(図示右端側)の側縁に配置されており、コントロール基板７の左側に隣接してジャンクションボックス８が配置されている。
なお、図９において、電流の流れの向きを矢印で示している。
【００３３】
上記実施形態１によれば、下記の効果を奏する。
（１）上カバー３の上面３ａに、該上カバー３の上面３ａに平行な底部３２を有する窪み部３１と、窪み部３１の底部３２に隣接して開口部３３とが設けられており、信号用コネクタ７１が、該信号用コネクタ７１への挿抜方向が窪み部３１の底部３２と平行方向になるように上カバー３の上面３ａの内側に配置されている。このため、上カバー３に設けられた窪み部３１の領域を、外部コネクタ５１を信号用コネクタ７１に挿抜する際の移動領域とすることができる。従って、二次電池装置１が設置される収容部の面積の縮減を図ることが可能となる。
【００３４】
（２）信号用コネクタ７１は、窪み部３１の底部３２と平行方向に延在される接続部７６ａを有する接続端子７６を有する。このため、信号用コネクタ７１の接続部７６ａと外部コネクタ５１の接続片５３との接続を確実なものとすることができる。
【００３５】
（３）上カバー３の開口部３３は、窪み部３１の底部３２に対して交差する方向に配置され、信号用コネクタ７１の挿抜用端面７５は、上カバー３の開口部３３の内側に配置されている。このため、信号用コネクタ７１の挿抜用端面７５に付着する水滴によるマイグレーションを抑制することができる。
【００３６】
（４）上カバー３は、開口部３３の窪み部３１と反対側において周囲から隆起したコネクタ覆い部３４を有し、信号用コネクタ７１の挿抜用端面７５は、コネクタ覆い部３４の内側において開口部３３よりも内方に配置されている。このため、コネクタ覆い部３４により信号用コネクタ７１の挿抜用端面７５の水濡れを抑制することができる。
【００３７】
（５）上カバー３と信号用コネクタ７１との少なくとも相対向する一側部間に封止部材３７が介装されている。このため、上カバー３と信号用コネクタ７１との対向する一側部間から水分が浸入するのを抑制することができる。
【００３８】
（６）信号用コネクタ７１はコントロール基板７に設けられ、コントロール基板７とジャンクションボックス８とは、平面視で重ならない位置に配置されている。信号用コネクタ７１を筐体の一側縁部に配置する構造では、信号用コネクタ７１を筐体の一側縁部側にジャンクションボックス等の電装品を配置する場合、コントロール基板７を、電装品上を延在させて信号用コネクタ７１を筐体の一側部に配置させる必要がある。この構造では電装品上を延在させる分、コントロール基板７が大きくなり高価となる。本実施形態では、コントロール基板７を筐体の一側部まで延在させる必要が無く、コントロール基板７の小型化を図ることができる。
【００３９】
−実施形態２−
図１０は、本発明の第２の実施形態を示す、図９に対応する図である。
第２の実施形態では、ＨＶ端子８１とＨＶ端子２１とは、ケース本体２内の短手方向（前後方向）の両端側に対向して配置されている。
【００４０】
ＨＶ端子８１は、組電池１Ｒの左端(図示右端)の二次電池セル４の正極電極４３に正極側バスバ（図示せず）により接続されている。ＨＶ端子２１は、組電池１Ｒの右端(図示左端)の二次電池セル４の負極電極４４に負極側バスバ６１により接続されている。つまり、正極側通電端子であるＨＶ端子８１と、負極側通電端子であるＨＶ端子２１とは、ケース本体２の短手方向（前後方向）の両端に対向して配置されている。そして、信号用コネクタ７１は、ケース本体２の短手方向（前後方向）において、組電池１Ｒ中央部に配置されている。信号用コネクタ７１は、コントロール基板７の長手方向の左端側(図示右端側)の側縁に配置されており、コントロール基板７の左側(図示右側)に隣接して、ジャンクションボックス８が配置されている。
【００４１】
このように、ＨＶ端子８１とＨＶ端子２１とは、ケース本体２内の短手方向の両端に相対向して配置されている。また、コントロール基板７に取りつけた信号用コネクタ７１は、ケース本体２の短手方向（前後方向）における組電池１Ｒの中央部に配置されている。なお、図１０において、電流の流れの向きを矢印で示している。
第２の実施形態における他の構造は、第１の実施形態と同様であり、対応する部材に同一の符号を付して説明を省略する。
第２の実施形態においても、第１の実施形態と同様な効果を奏する。
【００４２】
なお、上記実施形態では、ケース本体２と上カバー３とが上下に積層して配置された構造として例示した。しかし、ケース本体２と上カバー３とを横方向に積層させた構造としてもよい。
【００４３】
上記実施形態では、コネクタ覆い部３４を、上カバー３に、その周囲から隆起した構造として例示した。しかし、コネクタ覆い部３４は、その周囲と平坦状にとしてもよい。
【００４４】
上記実施形態では、信号用コネクタ７１は雌型として例示したが、雄型としてもよく、その場合には、外部コネクタ５１として雌型を用いる。信号用コネクタ７１および外部コネクタ５１は、一例として例示したものであり、異なる構造のコネクタを用いることができる。
【００４５】
上記実施形態では、信号用コネクタ７１はコントロール基板７にはんだ付けされた構造として例示した。しかし、信号用コネクタ７１は、ケース本体２に設けたボス部またはケース本体２内に収容された他の部材に固定し、配線により、コントロール基板７に接続するようにしてもよい。
【００４６】
上記実施形態では、信号用コネクタ７１はコントロール基板７の一側縁部に取付けた構造として例示した。しかし、信号用コネクタ７１をコントロール基板７の中央部側に配置する構造とすることもできる。このような構造において、コントロール基板７に開口または切欠きを設け、該開口または切欠きの領域内に信号用コネクタ７１を配置し、配線によりコントロール基板７に接続するようにしてもよい。
【００４７】
上カバー３に形成する窪み部３１の底部３２を、上カバー３の長手方向（左右方向）に長い形状として例示した。しかし、窪み部３１の底部３２を、上カバー３の短手方向（前後方向）に長い形状に形成してもよい。この構造では、外部コネクタ５１は、上カバー３の短手方向（前後方向）に移動することにより、信号用端子７１に挿抜される。
【００４８】
信号用コネクタ７１は、ジャンクションボックス８に設けられたリレー８２に駆動用の電源を供給する電源用端子を含むコネクタとして例示した。しかし、信号用コネクタ７１は、制御用の信号用端子のみを有するコネクタとしたり、電源用端子のみを有するコネクタに置換したりしてもよい。
【００４９】
上記実施形態では、電装品として、ジャンクションボックス８を例示した。しかし、電装品として、ＳＤ（サービスディスコネクト）スイッチ、またはリレーやヒューズ等の単一部材を用いても良い。あるいは、電装品として、ＤＣＤＣコンバータ等の電子回路組立体を用いることもできる。
【００５０】
上記実施形態では、リチウムイオン二次電池セルを有する二次電池装置を蓄電装置として例示した。しかし、本発明を、ニッケル水素電池セル、鉛電池セル、ニッケルカドミウム電池セル等、リチウムイオン二次電池セル以外の二次電池セルを有する二次電池装置に適用することができる。また、本発明を、リチウイオンキャパシタ等の蓄電素子を有する蓄電装置に適用することもできる。
【００５１】
上記実施形態における、ケース内部の構造、冷却構造等は単なる一例として示したに過ぎない。冷却構造や内部の構造は異なるものであってもよい。本発明はこれらの内容に限定されるものではない。本発明の技術的思想の範囲内で考えられるその他の態様も本発明の範囲内に含まれる。
【符号の説明】
【００５２】
１      二次電池装置
１Ｒ    組電池
２      ケース本体
３      上カバー
４      二次電池セル
７      コントロール基板
８      ジャンクションボックス
２１      ＨＶ端子
３１      窪み部
３２      底部
３３      開口部
３４      コネクタ覆い部
３７      封止部材
５１      外部コネクタ
７１      信号用コネクタ
７５      挿抜用端面
７６      接続端子
７６ａ    接続部
８１      ＨＶ端子
Ｇ      空間部
【図１】
0006554038.tif 000002
【図２】
0006554038.tif 000003
【図３】
0006554038.tif 000004
【図４】
0006554038.tif 000005
【図５】
0006554038.tif 000006
【図６】
0006554038.tif 000007
【図７】
0006554038.tif 000008
【図８】
0006554038.tif 000009
【図９】
0006554038.tif 000010
【図１０】
0006554038.tif 000011